(57)【要約】【課題】データを記録するとともに、文字や図形等を描画する際に、確実に記録データを再生できるとともに、文字や図形等を十分に視認できる光ディスク装置を提供する。【解決手段】光ディスク１０のデータ面に記録すべきデータ及び描画データを記録する光ディスク装置は光ディスク１０に対してレーザ光を照射してデータを記録する光ピックアップ１６及びドライバ２２と、システムコントローラ３２を備える。システムコントローラ３２は光ディスク１０に試し書きされたテストデータを再生して得られるβ値に基づいて最適記録パワーＰｏを設定するとともに、テストデータを再生して得られるエラーレートが許容値となる下限記録パワーＰＬ及び上限記録パワーＰＨを設定し、Ｐｏ，ＰＬ，ＰＨのうちの少なくともいずれか２つを記録すべきデータの記録パワーと描画データの記録パワーに設定してドライバ２２を制御する。【選択図】図１
2015158962.tif 000002
【特許請求の範囲】
【請求項１】
光ディスクのデータ面に記録すべきデータ及び描画データを記録する光ディスク装置であって、
光ディスクに対してレーザ光を照射してデータを記録する記録手段と、
前記光ディスクに試し書きされたテストデータを再生して得られるβ値に基づいて最適記録パワーＰｏを設定するとともに、テストデータを再生して得られるエラーレートが許容値となる下限記録パワーＰＬ及び上限記録パワーＰＨを設定し、前記Ｐｏ及び前記ＰＬ〜ＰＨの間で設定される記録パワーのうちの少なくともいずれか２つを記録すべきデータの記録パワーと描画データの記録パワーに設定して前記記録手段を制御する制御手段と、
を有することを特徴とする光ディスク装置。
【請求項２】
請求項１記載の光ディスク装置において、
前記制御手段は、記録すべきデータの記録パワーとして前記Ｐｏを設定し、描画データの記録パワーとして前記ＰＬあるいは前記ＰＨを設定することを特徴とする光ディスク装置。
【請求項３】
請求項１記載の光ディスク装置において、
前記制御手段は、記録すべきデータの記録パワーとして前記ＰＬあるいは前記ＰＨのいずれか一方を設定し、描画すべきデータの記録パワーとして前記ＰＬあるいは前記ＰＨのいずれか他方を設定することを特徴とする光ディスク装置。
【請求項４】
請求項１記載の光ディスク装置において、
前記制御手段は、記録すべきデータの記録パワーとして前記Ｐｏを設定し、描画すべきデータの記録パワーとして前記ＰＬ乃至前記ＰＨの間で設定される複数段階の記録パワーから任意の一つを設定することを特徴とする光ディスク装置。
【請求項５】
請求項１記載の光ディスク装置において、
前記制御手段は、記録すべきデータの記録パワーとして前記ＰＬあるいは前記ＰＨのいずれか一方を設定し、描画すべきデータの記録パワーとして前記ＰＬ乃至前記ＰＨの間で設定される複数段階の記録パワーから任意の一つを設定することを特徴とする光ディスク装置。
【発明の詳細な説明】
【技術分野】
【０００１】
本発明は光ディスク装置に関し、特にデータの記録に加え文字や図形等を描画する光ディスク装置に関する。
【背景技術】
【０００２】
従来からデジタルデータの記録とともに光ディスクの表面に文字や図形を描画する光ディスク装置が提案されている。
【０００３】
下記の特許文献１には、光ディスクにデジタルデータのみを記録する際には第１記録レーザパワーＰｗｏにより、光ディスクにデジタルデータ及び第１濃度の画像を描画する際には第２記録レーザパワーＰｗｏ＋αにより、光ディスクにデジタルデータ及び第２濃度の画像を描画する際には第３記録レーザパワーＰｗｏ−αにより記録することが記載されている。
【先行技術文献】
【特許文献】
【０００４】
【特許文献１】特開２００９−２６４０４号公報
【発明の概要】
【発明が解決しようとする課題】
【０００５】
しかしながら、従来技術では、第２記録レーザパワー及び第３記録レーザパワーはジッタ値が許容値をとる範囲内となるようなレーザパワーとして設定されているだけであり、本来記録すべきデジタルデータの品質が低下するおそれがある。すなわち、ジッタ値はデジタルデータの品質を反映するパラメータの一つであるものの、デジタルデータの品質を直接評価するものではなく、描画された文字や画像とともに記録されたデジタルデータを真に再生し得るか否かを保証するものではないのでデジタルデータを再生できないおそれがある。また、ジッタ値に基づいてレーザパワーを設定しているため、結果的に第２記録レーザパワーと第３記録レーザパワーの差を十分確保できず、十分な濃淡（コントラスト）で文字や図形等を描画できないおそれもある。
【０００６】
本発明の目的は、データを記録するとともに、文字や図形等を描画する際に、確実に記録データを再生できるとともに、文字や図形等を十分に視認できる光ディスク装置を提供することにある。
【課題を解決するための手段】
【０００７】
本発明は、光ディスクのデータ面に記録すべきデータ及び描画データを記録する光ディスク装置であって、光ディスクに対してレーザ光を照射してデータを記録する記録手段と、前記光ディスクに試し書きされたテストデータを再生して得られるβ値に基づいて最適記録パワーＰｏを設定するとともに、テストデータを再生して得られるエラーレートが許容値となる下限記録パワーＰＬ及び上限記録パワーＰＨを設定し、前記Ｐｏ及び前記ＰＬ〜ＰＨの間で設定される記録パワーのうちの少なくともいずれか２つを記録すべきデータの記録パワーと描画データの記録パワーに設定して前記記録手段を制御する制御手段を有する。
【０００８】
本発明の１つの実施形態では、前記制御手段は、記録すべきデータの記録パワーとして前記Ｐｏを設定し、描画データの記録パワーとして前記ＰＬあるいは前記ＰＨを設定する。
【０００９】
本発明の他の実施形態では、前記制御手段は、記録すべきデータの記録パワーとして前記ＰＬあるいは前記ＰＨのいずれか一方を設定し、描画すべきデータの記録パワーとして前記ＰＬあるいは前記ＰＨのいずれか他方を設定する。
【００１０】
本発明のさらに他の実施形態では、前記制御手段は、記録すべきデータの記録パワーとして前記Ｐｏを設定し、描画すべきデータの記録パワーとして前記ＰＬ乃至前記ＰＨの間で設定される複数段階の記録パワーから任意の一つを設定する。
【００１１】
本発明のさらに他の実施形態では、前記制御手段は、記録すべきデータの記録パワーとして前記ＰＬあるいは前記ＰＨのいずれか一方を設定し、描画すべきデータの記録パワーとして前記ＰＬ乃至前記ＰＨの間で設定される複数段階の記録パワーから任意の一つを設定する。
【発明の効果】
【００１２】
本発明によれば、最適記録パワーＰｏに加えてエラーレートを用いて記録パワーＰＬ，ＰＨを設定して記録すべきデータ及び描画データを記録するので、描画データを記録しつつデータの品質を確実に担保できる。また、エラーレートを用いて記録パワーＰＬ，ＰＨを設定しているため、描画データのコントラストを十分に確保し得る。
【図面の簡単な説明】
【００１３】
【図１】光ディスク装置の全体構成ブロック図である。
【図２】記録パワーとβ値及びエラーレートとの関係を示すグラフ図である。
【図３】実施形態の要部構成図である。
【図４】ＳＷ１，２のオンオフに伴う記録パワー変化説明図である。
【図５】記録パワーのタイミングチャートである。
【図６】ホスト側の処理フローチャートである。
【図７】光ディスク装置側の処理フローチャートである。
【図８】実施形態の描画説明図である。
【発明を実施するための形態】
【００１４】
以下、図面に基づき本発明の実施形態について説明する。但し、以下の実施形態は例示であり、本発明は実施形態に限定されるものではない。
【００１５】
図１は光ディスク装置の全体構成を示す。ＤＶＤ−Ｒ等の記録可能な光ディスク１０はスピンドルモータ（ＳＰＭ）１２により駆動される。ＳＰＭ１２はドライバ１４で駆動され、ドライバ１４はサーボプロセッサ３０により所望の回転速度となるようにサーボ制御される。
【００１６】
光ピックアップ１６はレーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はステッピングモータで構成されるスレッドモータ１８により光ディスク１０の半径方向に駆動され、スレッドモータ１８はドライバ２０で駆動される。ドライバ２０はドライバ１４と同様にサーボプロセッサ３０によりサーボ制御される。
【００１７】
また、光ピックアップ１６のＬＤはドライバ２２により駆動される。ドライバ２２はシステムコントローラ３２からの指令によりＬＤの発光量を制御する。図ではドライバ２２は光ピックアップ１６と別個に設けられているが、ドライバ２２を光ピックアップ１６に搭載してもよい。
【００１８】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。
【００１９】
ＲＦ回路２６は再生信号からフォーカスエラー信号やトラッキングエラー信号を生成し、サーボプロセッサ３０に供給する。
【００２０】
サーボプロセッサ３０はこれらのエラー信号に基づいて光ピックアップ１６をサーボ制御し、光ピックアップ１６をオンフォーカス状態及びオントラック状態に維持する。また、ＲＦ回路２６は再生信号に含まれるアドレス信号をアドレスデコード回路２８に供給する。  
【００２１】
アドレスデコード回路２８はアドレス信号から光ディスク１０のアドレスデータを復調し、サーボプロセッサ３０やシステムコントローラ３２に供給する。また、ＲＦ回路２６は再生ＲＦ信号を２値化回路３４に供給する。
【００２２】
２値化回路３４は再生信号を２値化し、得られた信号をエンコード／デコード回路３６に供給する。
【００２３】
エンコード／デコード回路３６は２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００２４】
光ディスク１０にデータを記録する際には、ホスト装置からの記録すべきデータ及び描画データはインタフェースＩ／Ｆ４０を介してエンコード／デコード回路３６に供給される。
【００２５】
エンコード／デコード回路３６は記録すべきデータ及び描画データをバッファメモリ３８に格納し、当該記録すべきデータ及び描画データをエンコードして変調データとしてライトストラテジ回路４２に供給する。ライトストラテジ回路４２は変調データを所定の記録ストラテジに従ってマルチパルス（パルストレーン）に変換してドライバ２２に供給する。パワー変調されたレーザ光は光ピックアップ１６のＬＤから照射されて光ディスク１０にデータが記録される。従って、光ピックアップ１６のＬＤ及びドライバ２２は記録手段として機能する。
【００２６】
データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に格納されている記録データと照合する（ベリファイ）。ベリファイの結果はシステムコントローラ３２に供給される。システムコントローラ３２はベリファイの結果に応じて引き続きデータを記録するか、あるいは交替処理を実行するかを決定する。
【００２７】
システムコントローラ３２はシステム全体の動作を制御し、サーボプロセッサ３０を介してスレッドモータ１８を駆動し、光ピックアップ１６の位置を制御する。
【００２８】
また、システムコントローラ３２はデータを記録する際に、光ディスク１０の所定エリアを用いてＯＰＣ（Optimum Power Control）を実行し、最適な記録パワーを設定する。すなわち、記録パワーを複数段階に変化させつつテストデータを試し記録し、該テストデータを再生してβ値を取得する。そして、取得したβ値が目標β値に一致ないし最も近い記録パワーを最適記録パワーＰｏに設定する。
【００２９】
また、システムコントローラ３２はホスト装置から受信した描画データを光ディスク１０に描画すべく、ＯＰＣにおいて最適記録パワーＰｏに加え、描画データを記録するための下限記録パワーＰＬ及び上限記録パワーＰＨを算出する。描画データを記録するための下限記録パワー及び上限記録パワーは、該テストデータを再生して得られるエラーレートに基づき設定する。システムコントローラ３２は設定したＰｏ及びＰＬ〜ＰＨの間で設定される記録パワーのうち少なくとも２つを選択し、これらを記録すべきデータ用の記録パワーと描画データ用の記録パワーに各々割り当てる。
【００３０】
図２は記録パワーとβ値及びエラーレートとの関係を示す。β値は再生品質を評価するパラメータの一つで、再生ＲＦ信号のエンベロープのピーク電圧（Ａ）とボトム電圧（Ｂ）から
β＝（Ａ＋Ｂ）／（Ａ−Ｂ）
により算出されるパラメータであり、一般に記録パワーが増大するに従い増大する。また、エラーレートは、エンコード／デコード回路３６においてビタビ復号器から出力されたデコード信号に対してリードソロモン積符号方式を用いて１６セクタから成る１ＥＣＣブロックを単位としてエラー訂正処理を行う際のエラーレートである。記録パワーがある範囲内においてエラーレートは最小（許容値）となり、その範囲を超えるとエラーレートは増大する。エラーレートは図２に示すように記録パワーに対してＵ字型のプロファイルを示す。
【００３１】
図２においてβ値が予め設定された目標β値に一致する記録パワーを最適記録パワーＰｏに設定する。また、エラーレートが最小値（許容値）から増大し始める下限の記録パワーを下限記録パワーＰＬに設定する。さらに、エラーレートが最小値（許容値）から増大し始める上限の記録パワーを上限記録パワーＰＨに設定する。通常、β値が目標βとなる最適記録パワーＰｏは、エラーレートも最小となっているから、
ＰＬ＜Ｐｏ＜ＰＨ
が成り立つ。
【００３２】
システムコントローラ３２はＯＰＣにより３つの記録パワーＰＬ，Ｐｏ，ＰＨを取得して内蔵メモリに記憶し、これらの記録パワーを用いて記録すべきデータ及び描画データを記録する。記録すべきデータ及び描画データを光ディスク１０に記録する際には、いくつかの記録パワーの組み合わせがあり得る。
（１）記録すべきデータをＰｏで記録し、描画データをＰＬで記録する
（２）記録すべきデータをＰｏで記録し、描画データをＰＨで記録する
（３）記録すべきデータをＰＬで記録し、描画データをＰＨで記録する
（４）記録すべきデータをＰＨで記録し、描画データをＰＬで記録する
【００３３】
いずれの組み合わせも用いることが可能であるが、（１）、（２）では最適記録パワーＰｏで記録すべきデータが記録できる利点があり、（３）、（４）では記録すべきデータと描画データの記録パワーの差が大きく両者のコントラストを最大化できる利点がある。いずれの方法によっても記録パワーＰｏ，ＰＬ，ＰＨは全てエラーレートが最小（許容値）となる記録パワーであるため、記録されたデータの再生品質は保証される。
【００３４】
また、エラーレートの場合には記録パワーに対する許容マージンがジッタ値に対して相対的に大きいため、ＰｏとＰＬとの差、及びＰｏとＰＨとの差をジッタの場合よりも相対的に大きくとることができ、記録すべきデータに対する描画データのコントラストを十分確保することができる。
【００３５】
なお、（１）あるいは（２）の場合、システムコントローラ３２はＰｏ−ＰＬ、及びＰＨ−Ｐｏを大小比較してその差がより大きい方を採用してもよい。すなわち、（Ｐｏ−ＰＬ）＞（ＰＨ−Ｐｏ）の場合に（１）を用い、（Ｐｏ−ＰＬ）＜（ＰＨ−Ｐｏ）の場合に（２）を用いる等である。
【００３６】
図３は光ディスク装置の要部の構成ブロック図である。システムコントローラ３２とドライバ２２の構成である。
【００３７】
システムコントローラ３２はドライバ２２に対して、合計６つの信号を出力する。「記録パワー設定１」、「記録パルス１」、「記録パワー設定２」、「記録パルス２」、「再生パワー設定」、「再生パワーイネーブル（enable）」の各信号である。記録パルス１及び記録パルス２は記録ストラテジを決定するパルスであり、記録パルス１が記録すべきデータの変調データに対応し、記録パルス２が変調データの先頭及び後部に付加され記録ストラテジを決定する。記録パワー設定１は記録パルス１の記録パワー、つまり記録パルス１の設定電流を決定し、記録パワー設定２は記録パルス２の記録パワー、つまり記録パルス２の設定電流を決定する。従来においては、記録パワー設定１は最適記録パワーＰｏに設定され、記録パワー設定２も最適記録パワーＰｏに応じて設定される。
【００３８】
他方、本実施形態では、さらに描画データ制御部及びＤＡＣ（デジタルアナログコンバータ）１，２が設けられる。描画データ制御部及びＤＡＣ１，２はいずれもシステムコントローラ３２のＣＰＵからの制御信号により制御される。
【００３９】
ＤＡＣ１は記録パワー設定１の信号線に抵抗Ｒ３を介して接続され、記録パワー設定電流１を変化させる。ＤＡＣ１と信号線接続点との間にスイッチＳＷ１及び抵抗Ｒ３が設けられ、このスイッチＳＷ１のオン／オフは描画データ制御部で制御される。ＳＷ１がオンすると、ＤＡＣ１のデジタル値及び抵抗Ｒ３により定まる変動分ΔＰだけ記録パワー設定１が変動する。
【００４０】
ＤＡＣ２は記録パワー設定２の信号線に抵抗Ｒ４を介して接続され、記録パワー設定電流２を変化させる。ＤＡＣ２と信号線接続点との間にスイッチＳＷ２及び抵抗Ｒ４が設けられ、このスイッチＳＷ２のオン／オフは描画データ制御部で制御される。ＳＷ２がオンすると、ＤＡＣ２のデジタル値及び抵抗Ｒ４により定まる変動分Δαだけ記録パワー設定２が変動する。
【００４１】
システムコントローラ３２のＣＰＵはホスト装置から受信した記録すべきデータ及び描画データに基づいて描画データ制御部及びＤＡＣ１，２を制御する。すなわち、描画データにより描画すべき位置においてスイッチＳＷ１，２をともにオンしそれ以外の位置ではともにオフすべく描画データ制御部を制御するとともに、メモリに記憶されたＰＬ，Ｐｏ，ＰＨに基づいてＤＡＣ１，２を制御する。また、システムコントローラ３２は記録パワー設定１として記録パワーＰｏを出力し、記録パワー設定２として所定のαを出力する。
【００４２】
従って、描画データを描画すべき位置でない場合にはＳＷ１，２がともにオフであるためＤＡＣ１，２に設定されたデジタル値に対応するアナログ信号はそれぞれの信号線に供給されず、記録パワー設定１はＰｏに設定され、記録パワー設定２は所定のαに設定される。描画データを描画すべき位置である場合にはＳＷ１，２がともにオンとなるためＤＡＣ１，２に設定されたデジタル値に対応するアナログ信号はそれぞれの信号線に抵抗Ｒ３、Ｒ４を介して供給され、記録パワー設定１はＰｏ−ΔＰ＝ＰＬに設定され、記録パワー設定２もα−Δαに設定される。
【００４３】
図４はＳＷ１，２がいずれもオフの場合の記録パワーの波形（記録ストラテジ）とＳＷ１，２がともにオンの場合の記録パワーの波形を示す。いわゆるキャッスルストラテジの場合である。
【００４４】
ＳＷ１，２がともにオフの場合、再生パワーに記録パワーＰｏが重畳され、さらにその先頭と後部に所定量αが重畳（ブースト）される。ＳＷ１，２がともにオンとなると、ＤＡＣ１及び抵抗Ｒ３で定まる変動分ΔＰだけＰｏが変動して
Ｐｏ−ΔＰ＝ＰＬ
となる。また、ＤＡＣ２及び抵抗Ｒ４で定まる変動分Δαだけαが変動してブースト分が
α−Δα
となる。ＳＷ１，２がともにオンした場合、キャッスルストラテジは、（Ｐｏ−ΔＰ＝ＰＬ）と、α−Δαで構成される。ΔＰとΔαは必ずしも一致する必要はない。
【００４５】
図５は図３の各部のタイミングチャートを示す。記録パルスの先頭と後部でパワーを所定量αだけブーストするキャッスルストラテジの記録ストラテジの場合である。描画データが存在しない位置では描画データ制御部からの描画パワーＳＷ制御信号はＬｏｗレベルのままであり、ＳＷ１，２はともにオフとなる。記録パワー設定電流１は最適記録パワーＰｏに対応する電流値に設定され、記録パワー設定電流２は所定量αに対応する電流値に設定される。記録パルス１のパルス波形は変調データに対応した波形であり、記録パルス２は記録パルス１の先頭及び後部のタイミングで記録パルス１に重畳する波形である。従って、レーザ発光波形は先頭及び後部で所定量αだけブーストされ、それ以外は最適記録パワーＰｏとなるキャッスル型の波形となる。
【００４６】
描画データが存在する位置では描画データ制御部からの描画パワーＳＷ制御信号はＨｉレベルとなり、ＳＷ１，２はともにオンとなる。記録パワー設定電流１は最適記録パワーＰｏからＰＬに対応する電流値に設定され、記録パワー設定電流２も所定量αからΔαだけ減少した電流値に設定される。
【００４７】
このように、描画データが存在しない位置では最適記録パワーＰｏ及びその先頭と後部をαだけブーストしたパワーで記録し、描画データが存在する位置では記録パワーＰＬ及びその先頭と後部をα−Δαだけブーストしたパワーで記録するため、ＰｏとＰＬのパワー差に起因するコントラストが生じて記録すべきデータとともに文字や図形等を描画することができる。
【００４８】
図６及び図７は本実施形態の処理フローチャートを示す。図６はホスト装置の処理であり、図７は光ディスク装置（ドライブ）の処理である。
【００４９】
図６において、ユーザはホスト装置にインストールされた処理プログラム（データを記録するためのライティングアプリケーション）を用いて記録すべきデータファイルを指定する（Ｓ１０１）。次に、文字や図形等を描画する場合には、ユーザは同じ処理プログラムを用いて描画すべき描画ファイルを指定する（Ｓ１０２）。さらに、ユーザは同じ処理プログラムを用いて文字や図形等を記録する位置及び大きさを指定する（Ｓ１０３）。ホスト装置の処理プログラムは指定された描画ファイル、位置、大きさに基づいて描画データを作成する（Ｓ１０４）。例えば、光ディスク１０の任意の周方向位置を基準位置として設定し、各トラック毎に描画データを挿入すべき位置及び範囲を設定し、当該位置におけるデータ値を「１」、それ以外を「０」として描画データを作成する。これにより、あるトラック１周分の描画データは、任意の周方向位置を基準位置として、
０００００・・・・１１１１００・・・１１１１１１・・・０００
等となる。
【００５０】
描画データを作成すると、ホスト装置は描画データ有りのコマンドを光ディスク装置に送信する（Ｓ１０５）。他方、ユーザが処理プログラムで描画ファイルを指定しない場合、ホスト装置は描画データ無しのコマンドを光ディスク装置に送信する。そして、光ディスク装置からの要求に応じ、記録すべきデータ及び描画データを光ディスク装置に送信する（Ｓ１０６）。
【００５１】
図７において、システムコントローラ３２はホスト装置からコマンドを受信し、描画データが有るか否かを判定する（Ｓ２０１）。上記のＳ１０５でホスト装置が描画データ有りのコマンドを送信している場合、この判定処理にてＹＥＳと判定され、ホスト装置が描画データ無しのコマンドを送信している場合、この判定処理にてＮＯと判定される。
【００５２】
描画データ無しと判定された場合（Ｓ２０１でＮＯ）、システムコントローラ３２は通常のＯＰＣを実行する（Ｓ２０２）。通常のＯＰＣとは従来のＯＰＣであり、光ディスク１０の所定エリアにテストデータを試し書きし、当該テストデータを再生して得られたβ値が目標β値に一致する記録パワーを最適記録パワーＰｏに設定する処理である。
通常のＯＰＣを実行して最適記録パワーＰｏを設定すると、ホスト装置にデータを要求し（Ｓ２０３）、ホスト装置から記録すべきデータを受信して光ディスク１０にデータを記録する（Ｓ２０４）。データを記録する際には、ＯＰＣで得られた最適記録パワーＰｏを用いる。なお、光ディスク１０の回転駆動方式がＣＡＶ（角速度一定）ないしＺＣＡＶ（ゾーン毎に角速度一定）の場合、光ディスク１０の半径位置で線速度が異なるので、線速度の相違に応じて最適記録パワーＰｏに係数を乗じたパワーでデータを記録する。
【００５３】
他方、描画データ有りと判定された場合（Ｓ２０１でＹＥＳ）、システムコントローラ３２は描画用ＯＰＣを実行する（Ｓ２０５）。描画用ＯＰＣとは通常のＯＰＣに加えてエラーレートに基づきＰＬ及びＰＨを設定する処理である。テストデータを再生してエラーレートを算出し、エラーレートが最小となる記録パワーの下限ＰＬ及び上限ＰＨを設定する（図２参照）。このとき、システムコントローラ３２はＰｏ−ＰＬ、及びＰＨ−Ｐｏを算出し、これらの差分に基づいてＰｏ，ＰＬ，ＰＨのいずれの記録パワーを用いて記録すべきデータ及び描画データを光ディスク１０に記録するかを決定してもよい。勿論、予めＰｏ，ＰＬ，ＰＨのうちどの記録パワーを用いるかを決定しておいてもよい。
【００５４】
描画用ＯＰＣを実行してＰｏ，ＰＬ，ＰＨを設定すると、ホスト装置にデータを要求し（Ｓ２０６）、ホスト装置から記録すべきデータ及び描画データを受信して光ディスク１０にこれらのデータを記録する（Ｓ２０７）。記録すべきデータを記録する際には、例えば最適記録パワーＰｏを用い、描画データを記録する際には、例えばＰＬを用いる。なお、光ディスク１０の回転駆動方式がＣＡＶ（角速度一定）ないしＺＣＡＶ（ゾーン毎に角速度一定）の場合、光ディスク１０の半径位置で線速度が異なるので、線速度の相違に応じてＰｏ及びＰＬに係数を乗じたパワーでデータを記録する。
【００５５】
図８は描画データとして「Ｘ」なる文字を光ディスク１０に描画した例を示す。デジタルデータは最適記録パワーＰｏで記録され、描画データは記録パワーＰＬで記録されるため、光ディスク１０のデータ面には記録パワーの相違に起因して反射率の差が生じ、「Ｘ」の文字が視認できる。
【００５６】
以上のように、本実施形態によれば、光ディスク１０のデータ面にデジタルデータとともに所望の文字や図形を視認可能に記録することができるので、例えば描画データとしてデジタルデータを特定するファイル名やマーク等を選択すれば、ユーザはデータ面を見るだけでどのようなデジタルデータが記録されているのかを容易に視認することができる。本実施形態では、光ディスク１０のデータ面に記録パワーを変調して描画するので、光ディスク１０のレーベル面に記録する場合に比べて特殊な記録膜をレーベル面に形成する必要がなく、かつ、光ディスク１０を裏返して光ディスク装置に装着する手間もない。
【００５７】
さらに、本実施形態では、エラーレートを考慮してＰＬ，ＰＨを設定しているので、描画データのコントラストを確保しつつデジタルデータの品質も確保される。
【００５８】
以上、本発明の実施形態について説明したが、本発明はこれに限定されず種々の変形が可能である。
【００５９】
例えば、本実施形態では、システムコントローラ３２がＰｏ，ＰＬ，ＰＨのうちどのパワーを用いて記録すべきデータ及び描画データを記録するかを設定しているが、ホスト装置にインストールされた処理プログラム（ライティングアプリケーション）を用いてユーザが指定してもよい。デジタルデータをＰＨで記録し、描画データをＰＬで記録すると指定する等である。この場合、ホスト装置からシステムコントローラ３２に描画コマンドの有無及び描画データに加え、記録に用いるパワーのデータも送信される。
【００６０】
また、本実施形態では、図７のＳ２０５で描画用ＯＰＣを実行する際に、光ディスク１０の所定エリア（通常は内周のＰＣＡエリア）でＯＰＣを実行しているが、内周及び外周の所定エリアでＯＰＣを実行し、これらの結果に基づいて内周と外周の間の任意の半径位置での記録パワーを補間してもよい。すなわち、内周の所定エリアで
最適記録パワー：Ｐｏ（内周）
エラーレート下限記録パワー：ＰＬ（内周）
エラーレート上限記録パワー：ＰＨ（内周）
を設定するとともに外周の所定エリアで
最適記録パワー：Ｐｏ（外周）
エラーレート下限記録パワー（外周）
エラーレート上限記録パワー（外周）
を設定し、これらに基づいて任意の半径位置での記録すべきデータの記録パワー及び描画データの記録パワーを設定してもよい。これによれば、たとえエラーレートが内周と外周で異なっていたとしても、半径位置に応じて変化し得るエラーレートを考慮した記録パワーの設定が可能となる。
【００６１】
また、本実施形態において、描画データを多階調で描画することもできる。例えば、多階調の下限値をＰＬ、上限値をＰＨとし、記録すべきデータをＰＬで記録するとともに、ＰＬ〜ＰＨの間の複数の記録パワーで描画データを記録してもよい。例えば、ＰＬ〜ＰＨを８段階の記録パワーとし、
ＰＬ，Ｐ１，Ｐ２，Ｐ３，Ｐ４，Ｐ５，Ｐ６，ＰＨ
の８段階の記録パワーで記録すべきデータ及び描画データを記録する等である。記録パワーは、複数（本実施形態では８段階）の記録パワーから描画データの階調に合わせて選択的に設定され、適宜切り換えられる。階調数は、図３に示すＤＡＣ１，２の分解能で決定される。例えば、ＤＡＣ１，２の分解能を８ビットとすれば、ＰＬ〜ＰＨの間を２５６段階で表現し得る。
【符号の説明】
【００６２】
１０  光ディスク、２２  ドライバ、３２  システムコントローラ。
【図１】
2015158962.tif 000003
【図２】
2015158962.tif 000004
【図３】
2015158962.tif 000005
【図４】
2015158962.tif 000006
【図５】
2015158962.tif 000007
【図６】
2015158962.tif 000008
【図７】
2015158962.tif 000009
【図８】
2015158962.tif 000010